(57)【要約】【課題】医療検査の検査オーダーに対して使用される医療器材とその使用数量を的確に把握して、検査日までの将来に亘って、医療器材の適切な在庫量を管理する。【解決手段】情報入力手段１１と、情報入力手段から入力され被検者に実施する医療検査の検査種別および医療検査の実施予定日の情報を含む検査オーダー情報、医療検査の検査種別毎にそれぞれ必要とされる医療器材の種類・使用数量の情報を含む必要検査器材情報、および複数種の医療器材それぞれの在庫量を表す在庫量情報をそれぞれ記憶する情報記憶手段１３と、検査オーダー情報から医療検査に必要な医療器材の種類・使用数量について必要検査器材情報を参照して求め、在庫量情報に照合して、不足品の発生が予測される不足医療器材の種類・数量を求める不足品特定手段と、不足品特定手段により特定された情報を出力する出力手段１５と、を備えた。【選択図】図１
2010092345.tif 000002
【特許請求の範囲】
【請求項１】
被検者に実施する医療検査の検査オーダーに対して、該医療検査で必要な医療器材を在庫状態と照合して不足品情報を出力する医療器材の在庫管理システムであって、
情報入力手段と、
該情報入力手段から入力される前記医療検査の検査種別および実施予定日の情報を含む検査オーダー情報、前記医療検査の検査種別毎にそれぞれ必要とされる医療器材の種類およびその使用数量の情報を含む必要検査器材情報、複数種の前記医療器材それぞれの在庫量を表す在庫量情報のそれぞれ記憶する情報記憶手段と、
前記検査オーダー情報からこれから実施予定の医療検査に必要な医療器材の種類および使用数量について前記必要検査器材情報を参照して求め、この求めた医療器材の種類および使用数量を前記在庫量情報に照合して、任意に設定される所定日に不足品の発生が予測される不足医療器材の種類と数量を求める不足品特定手段と、
前記不足品特定手段により特定された情報を出力する出力手段と、
を備えた医療器材の在庫管理システム。
【請求項２】
請求項１記載の医療器材の在庫管理システムであって、
前記検査オーダー情報が被検者の病歴情報の記録された被検者情報を含み、
前記情報記憶手段が複数種の前記医療器材に対する病歴との禁忌組合せ、および該禁忌組合せを回避する代替え組合せの情報を含む禁忌情報を記憶し、
前記不足品特定手段が、前記被検者情報に被検者の病歴情報が存在する場合、前記禁忌情報を参照して前記病歴情報に対する前記医療器材の禁忌組合せの有無を確認し、禁忌組合せがあったときに、これを代替え組合せに変更して、前記不足医療器材の種類と数量を求める医療器材の在庫管理システム。
【請求項３】
請求項１または請求項２記載の医療器材の在庫管理システムであって、
前記不足品特定手段により特定された不足医療器材を供給業者に発注する発注処理手段を備え、
前記情報記憶手段が、前記不足医療器材を発注する場合のそれぞれの医療器材に対するリードタイムを複数の前記供給業者毎に表したリードタイム情報を記憶し、
前記発注処理手段は、前記不足品特定手段が特定する前記所定日に必要となる不足医療器材を、前記リードタイム情報を参照して前記所定日までのリードタイムを満足する供給業者に発注する医療器材の在庫管理システム。
【請求項４】
請求項３記載の医療器材の在庫管理システムであって、
前記リードタイム情報が、前記供給業者毎の医療器材に対する発注の最小単位の情報を含み、
前記発注処理手段は、前記不足品特定手段が特定する前記所定日に必要となる不足医療器材を、前記リードタイム情報における前記発注の最少単位の情報を参照して最少の発注数量となる供給業者に発注する医療器材の在庫管理システム。
【請求項５】
請求項３または請求項４記載の医療器材の在庫管理システムであって、
前記リードタイム情報が、さらに前記供給業者毎の医療器材に対する価格情報を含み、
前記発注処理手段が、発注対象となる供給業者が複数存在した場合に、これら供給業者の中から前記不足医療器材が最も安価な供給業者に発注する医療器材の在庫管理システム。
【請求項６】
請求項１〜請求項５のいずれか１項記載の医療器材の在庫管理システムであって、
前記情報記憶手段が、前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する医療器材の在庫管理システム。
【請求項７】
被検者に実施する医療検査の検査オーダーに対して、該医療検査で必要な医療器材を在庫状態と照合して不足品情報を出力する医療器材の在庫管理方法であって、
前記医療検査の検査種別および実施予定日の情報を含む検査オーダー情報を入力し、
入力された前記検査オーダー情報からこれから実施予定の医療検査に必要な医療器材の種類および使用数量を、前記医療検査の検査種別毎にそれぞれ必要とされる医療器材の種類およびその使用数量の情報を含む必要検査器材情報を参照して求め、
この求めた医療器材の種類および使用数量を、複数種の前記医療器材それぞれの在庫量を表す在庫量情報に照合して、任意に設定される所定日に不足品の発生が予測される不足医療器材の種類と数量を求める医療器材の在庫管理方法。
【請求項８】
請求項７記載の医療器材の在庫管理方法であって、
前記検査オーダー情報が被検者の病歴情報の記録された被検者情報を含み、
前記被検者情報に被検者の病歴情報が存在する場合、複数種の前記医療器材に対する病歴との禁忌組合せ、および該禁忌組合せを回避する代替え組合せの情報を含む禁忌情報を参照して前記病歴情報に対する前記医療器材の禁忌組合せの有無を確認し、禁忌組合せがあったときに、これを代替え組合せに変更して、前記不足医療器材の種類と数量を求める医療器材の在庫管理方法。
【請求項９】
請求項７または請求項８記載の医療器材の在庫管理方法であって、
前記特定された不足医療器材を供給業者に発注する場合のそれぞれの医療器材に対するリードタイムを複数の前記供給業者毎に表したリードタイム情報を記憶し、
前記所定日に必要となる不足医療器材を、前記リードタイム情報を参照して前記所定日までのリードタイムを満足する供給業者に発注する医療器材の在庫管理方法。
【請求項１０】
請求項９記載の医療器材の在庫管理方法であって、
前記リードタイム情報が、前記供給業者毎の医療器材に対する発注の最小単位の情報を含み、
前記所定日に必要となる不足医療器材を、前記リードタイム情報における前記発注の最小単位の情報を参照して最小の発注数量となる供給業者に発注する医療器材の在庫管理方法。
【請求項１１】
請求項９または請求項１０記載の医療器材の在庫管理方法であって、
前記リードタイム情報が、さらに前記供給業者毎の医療器材に対する価格情報を含み、
発注対象となる供給業者が複数存在した場合に、これら供給業者の中から前記不足医療器材が最も安価な供給業者に発注する医療器材の在庫管理方法。
【請求項１２】
請求項７〜請求項１１のいずれか１項記載の医療器材の在庫管理方法であって、
前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する医療器材の在庫管理方法。
【請求項１３】
被検者に実施する医療検査の検査オーダーに対して、該医療検査で必要な医療器材を在庫状態と照合して不足品情報を出力させる処理をコンピュータに実行させる医療器材の在庫管理プログラムであって、
前記医療検査の検査種別および実施予定日の情報を含む検査オーダー情報が入力された前記検査オーダー情報から、これから実施予定の医療検査に必要な医療器材の種類および使用数量について、前記医療検査の検査種別毎にそれぞれ必要とされる医療器材の種類およびその使用数量の情報を含む必要検査器材情報を参照して求め、
この求めた医療器材の種類および使用数量を、複数種の前記医療器材それぞれの在庫量を表す在庫量情報に照合して、任意に設定される所定日に不足品の発生が予測される不足医療器材の種類と数量を求める処理をコンピュータに実行させる医療器材の在庫管理プログラム。
【請求項１４】
請求項１３記載の医療器材の在庫管理プログラムであって、
前記検査オーダー情報が被検者の病歴情報の記録された被検者情報を含み、
前記被検者情報に被検者の病歴情報が存在する場合、複数種の前記医療器材に対する病歴との禁忌組合せ、および該禁忌組合せを回避する代替え組合せの情報を含む禁忌情報を参照して前記病歴情報に対する前記医療器材の禁忌組合せの有無を確認し、禁忌組合せがあったときに、これを代替え組合せに変更して、前記不足医療器材の種類と数量を求める処理をコンピュータに実行させる医療器材の在庫管理プログラム。
【請求項１５】
請求項１３または請求項１４記載の医療器材の在庫管理プログラムであって、
前記特定された不足医療器材を供給業者に発注する場合のそれぞれの医療器材に対するリードタイムを複数の前記供給業者毎に表したリードタイム情報を記憶し、
前記所定日に必要となる不足医療器材を、前記リードタイム情報を参照して前記所定日までのリードタイムを満足する供給業者に発注する処理をコンピュータに実行させる医療器材の在庫管理プログラム。
【請求項１６】
請求項１５記載の医療器材の在庫管理プログラムであって、
前記リードタイム情報が、前記供給業者毎の医療器材に対する発注の最小単位の情報を含み、
前記所定日に必要となる不足医療器材を、前記リードタイム情報における前記発注の最小単位の情報を参照して最小の発注数量となる供給業者に発注する処理をコンピュータに実行させる医療器材の在庫管理プログラム。
【請求項１７】
請求項１５または請求項１６記載の医療器材の在庫管理プログラムであって、
前記リードタイム情報が、さらに前記供給業者毎の医療器材に対する価格情報を含み、
発注対象となる供給業者が複数存在した場合に、これら供給業者の中から前記不足医療器材が最も安価な供給業者に発注する処理をコンピュータに実行させる医療器材の在庫管理プログラム。
【請求項１８】
請求項１３〜請求項１７のいずれか１項記載の医療器材の在庫管理プログラムであって、
前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する処理をコンピュータに実行させる医療器材の在庫管理プログラム。
【発明の詳細な説明】
【技術分野】
【０００１】
本発明は、医療器材の在庫を適切に管理することができる医療器材の在庫管理システム、医療器材の在庫管理方法、医療器材の在庫管理プログラムに関する。
【背景技術】
【０００２】
内視鏡的検査の医療検査を行うに際して、医療検査に使用する医療器材の在庫を適切に管理することは検査を円滑に行うために必要不可欠である。従来より、医療器材の在庫管理は、例えば内視鏡的検査の場合、内視鏡用処置具の在庫数に関するデータを保管するデータベースサーバーを設け、このサーバーに内視鏡システムを接続し、内視鏡的検査を行った場合に、使用した内視鏡処置具に対応する内視鏡処置具の在庫数データを減少させることにより、在庫数管理の人的負担、経済的負担を減少させた処置具管理システムを用いたものがある（例えば、特許文献１）。また、医療行為の予定情報と医療器材の情報との組合せを予め複数記憶しておき、医療行為の予定情報を取得することにより、当該医療行為に必要な医療器材を特定する医療行為管理システムがある（例えば、特許文献２）。
【０００３】
しかしながら、特許文献１のように、内視鏡用処置具の在庫数に関するデータを保管するデータベースサーバーに内視鏡システムを接続し、内視鏡的検査を行った場合に内視鏡処置具の在庫数データを減少させることでは、現在より先の実施予定となっている医療検査に対しては、その医療器材の適切な在庫量を管理することができない。また、特許文献２のように、医療行為の予定情報を取得して、当該医療行為に必要な医療器材を特定しても、在庫状況と比較して不足品の確認等の管理を行うことはできず、現在の医療器材の在庫状況から、検査実施日などの将来の時点で必要となる医療器材の種類と数量を正確に把握することはできない。
【特許文献１】特開２００２−２４８０７号公報
【特許文献２】特開２００６−１７８９１９号公報
【発明の開示】
【発明が解決しようとする課題】
【０００４】
本発明は、上述した問題点に鑑みてなされたもので、被検者に実施する医療検査の検査オーダーに対して使用される医療器材とその使用数量を的確に把握して、検査日までの将来に亘って、医療器材の適切な在庫量を管理することができる医療器材の在庫管理システム、在庫管理方法、在庫管理プログラムを提供することを目的としている。
【課題を解決するための手段】
【０００５】
本発明は下記構成からなる。
（１）  被検者に実施する医療検査の検査オーダーに対して、該医療検査で必要な医療器材を在庫状態と照合して不足品情報を出力する医療器材の在庫管理システムであって、
情報入力手段と、
該情報入力手段から入力される前記医療検査の検査種別および実施予定日の情報を含む検査オーダー情報、前記医療検査の検査種別毎にそれぞれ必要とされる医療器材の種類およびその使用数量の情報を含む必要検査器材情報、複数種の前記医療器材それぞれの在庫量を表す在庫量情報のそれぞれ記憶する情報記憶手段と、
前記検査オーダー情報からこれから実施予定の医療検査に必要な医療器材の種類および使用数量について前記必要検査器材情報を参照して求め、この求めた医療器材の種類および使用数量を前記在庫量情報に照合して、任意に設定される所定日に不足品の発生が予測される不足医療器材の種類と数量を求める不足品特定手段と、
前記不足品特定手段により特定された情報を出力する出力手段と、
を備えた医療器材の在庫管理システム。
【０００６】
この医療器材の在庫管理システムによれば、入力された医療検査オーダーに対して、使用される医療器材の種類と数量を在庫量と比較して、任意の所定日における不足品の発生を予測し、その予測結果を出力手段に出力させる。これにより、将来使用する医療器材とその使用数量を的確に把握することができ、検査日までの将来に亘って、医療器材の適切な在庫量を管理することができる
【０００７】
（２）  （１）記載の医療器材の在庫管理システムであって、
前記検査オーダー情報が被検者の病歴情報の記録された被検者情報を含み、
前記情報記憶手段が複数種の前記医療器材に対する病歴との禁忌組合せ、および該禁忌組合せを回避する代替え組合せの情報を含む禁忌情報を記憶し、
前記不足品特定手段が、前記被検者情報に被検者の病歴情報が存在する場合、前記禁忌情報を参照して前記病歴情報に対する前記医療器材の禁忌組合せの有無を確認し、禁忌組合せがあったときに、これを代替え組合せに変更して、前記不足医療器材の種類と数量を求める医療器材の在庫管理システム。
【０００８】
この医療器材の在庫管理システムによれば、被検者情報に含まれる被検者の病歴情報に基づいて、禁忌組合せの有無を確認し、禁忌組合せが存在する場合に、これを代替え組合せに変更する。これにより、被検者に対して適切な検査内容としたときの不足医療器材の種類と数量を正確に求めることができる。
【０００９】
（３）  （１）または（２）記載の医療器材の在庫管理システムであって、
前記不足品特定手段により特定された不足医療器材を供給業者に発注する発注処理手段を備え、
前記情報記憶手段が、前記不足医療器材を発注する場合のそれぞれの医療器材に対するリードタイムを複数の前記供給業者毎に表したリードタイム情報を記憶し、
前記発注処理手段は、前記不足品特定手段が特定する前記所定日に必要となる不足医療器材を、前記リードタイム情報を参照して前記所定日までのリードタイムを満足する供給業者に発注する医療器材の在庫管理システム。
【００１０】
この医療器材の在庫管理システムによれば、医療器材の供給業者毎のリードタイムに応じて、リードタイムを満足する供給業者に不足器量器材を発注することができる。
【００１１】
（４）  （３）記載の医療器材の在庫管理システムであって、
前記リードタイム情報が、前記供給業者毎の医療器材に対する発注の最小単位の情報を含み、
前記発注処理手段は、前記不足品特定手段が特定する前記所定日に必要となる不足医療器材を、前記リードタイム情報における前記発注の最少単位の情報を参照して最少の発注数量となる供給業者に発注する医療器材の在庫管理システム。
【００１２】
この医療器材の在庫管理システムによれば、必要となる不足医療器材を最少単位で発注することができ、無駄なストックを減らすことができる。
【００１３】
（５）  （３）または（４）記載の医療器材の在庫管理システムであって、
前記リードタイム情報が、さらに前記供給業者毎の医療器材に対する価格情報を含み、
前記発注処理手段が、発注対象となる供給業者が複数存在した場合に、これら供給業者の中から前記不足医療器材が最も安価な供給業者に発注する医療器材の在庫管理システム。
【００１４】
この医療器材の在庫管理システムによれば、複数の供給業者の中から最も安価な供給業者に発注することで、効率よく低コストで在庫管理が行える。
【００１５】
（６）  （１）〜（５）のいずれか１項記載の医療器材の在庫管理システムであって、
前記情報記憶手段が、前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する医療器材の在庫管理システム。
【００１６】
この医療器材の在庫管理システムによれば、医療器材の使用期限を加味して在庫管理を行うことで、実際の検査日における必要使用量を確実に確保することができる。
【００１７】
（７）  被検者に実施する医療検査の検査オーダーに対して、該医療検査で必要な医療器材を在庫状態と照合して不足品情報を出力する医療器材の在庫管理方法であって、
前記医療検査の検査種別および実施予定日の情報を含む検査オーダー情報を入力し、
入力された前記検査オーダー情報からこれから実施予定の医療検査に必要な医療器材の種類および使用数量を、前記医療検査の検査種別毎にそれぞれ必要とされる医療器材の種類およびその使用数量の情報を含む必要検査器材情報を参照して求め、
この求めた医療器材の種類および使用数量を、複数種の前記医療器材それぞれの在庫量を表す在庫量情報に照合して、任意に設定される所定日に不足品の発生が予測される不足医療器材の種類と数量を求める医療器材の在庫管理方法。
【００１８】
（８）  （７）記載の医療器材の在庫管理方法であって、
前記検査オーダー情報が被検者の病歴情報の記録された被検者情報を含み、
前記被検者情報に被検者の病歴情報が存在する場合、複数種の前記医療器材に対する病歴との禁忌組合せ、および該禁忌組合せを回避する代替え組合せの情報を含む禁忌情報を参照して前記病歴情報に対する前記医療器材の禁忌組合せの有無を確認し、禁忌組合せがあったときに、これを代替え組合せに変更して、前記不足医療器材の種類と数量を求める医療器材の在庫管理方法。
【００１９】
（９）  （７）または（８）記載の医療器材の在庫管理方法であって、
前記特定された不足医療器材を供給業者に発注する場合のそれぞれの医療器材に対するリードタイムを複数の前記供給業者毎に表したリードタイム情報を記憶し、
前記所定日に必要となる不足医療器材を、前記リードタイム情報を参照して前記所定日までのリードタイムを満足する供給業者に発注する医療器材の在庫管理方法。
【００２０】
（１０）  （９）記載の医療器材の在庫管理方法であって、
前記リードタイム情報が、前記供給業者毎の医療器材に対する発注の最小単位の情報を含み、
前記所定日に必要となる不足医療器材を、前記リードタイム情報における前記発注の最小単位の情報を参照して最小の発注数量となる供給業者に発注する医療器材の在庫管理方法。
【００２１】
（１１）  （９）または（１０）記載の医療器材の在庫管理方法であって、
前記リードタイム情報が、さらに前記供給業者毎の医療器材に対する価格情報を含み、
発注対象となる供給業者が複数存在した場合に、これら供給業者の中から前記不足医療器材が最も安価な供給業者に発注する医療器材の在庫管理方法。
【００２２】
（１２）  （７）〜（１１）のいずれか１項記載の医療器材の在庫管理方法であって、
前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する医療器材の在庫管理方法。
【００２３】
この医療器材の在庫管理方法によれば、将来使用する医療器材とその使用数量を的確に把握して、検査日までの将来に亘って、医療器材の適切な在庫量を管理することができる。
【００２４】
（１３）  被検者に実施する医療検査の検査オーダーに対して、該医療検査で必要な医療器材を在庫状態と照合して不足品情報を出力させる処理をコンピュータに実行させる医療器材の在庫管理プログラムであって、
前記医療検査の検査種別および実施予定日の情報を含む検査オーダー情報が入力された前記検査オーダー情報から、これから実施予定の医療検査に必要な医療器材の種類および使用数量について、前記医療検査の検査種別毎にそれぞれ必要とされる医療器材の種類およびその使用数量の情報を含む必要検査器材情報を参照して求め、
この求めた医療器材の種類および使用数量を、複数種の前記医療器材それぞれの在庫量を表す在庫量情報に照合して、任意に設定される所定日に不足品の発生が予測される不足医療器材の種類と数量を求める処理をコンピュータに実行させる医療器材の在庫管理プログラム。
【００２５】
（１４）  （１３）記載の医療器材の在庫管理プログラムであって、
前記検査オーダー情報が被検者の病歴情報の記録された被検者情報を含み、
前記被検者情報に被検者の病歴情報が存在する場合、複数種の前記医療器材に対する病歴との禁忌組合せ、および該禁忌組合せを回避する代替え組合せの情報を含む禁忌情報を参照して前記病歴情報に対する前記医療器材の禁忌組合せの有無を確認し、禁忌組合せがあったときに、これを代替え組合せに変更して、前記不足医療器材の種類と数量を求める処理をコンピュータに実行させる医療器材の在庫管理プログラム。
【００２６】
（１５）  （１３）または（１４）記載の医療器材の在庫管理プログラムであって、
前記特定された不足医療器材を供給業者に発注する場合のそれぞれの医療器材に対するリードタイムを複数の前記供給業者毎に表したリードタイム情報を記憶し、
前記所定日に必要となる不足医療器材を、前記リードタイム情報を参照して前記所定日までのリードタイムを満足する供給業者に発注する処理をコンピュータに実行させる医療器材の在庫管理プログラム。
【００２７】
（１６）  （１５）記載の医療器材の在庫管理プログラムであって、
前記リードタイム情報が、前記供給業者毎の医療器材に対する発注の最小単位の情報を含み、
前記所定日に必要となる不足医療器材を、前記リードタイム情報における前記発注の最小単位の情報を参照して最小の発注数量となる供給業者に発注する処理をコンピュータに実行させる医療器材の在庫管理プログラム。
【００２８】
（１７）  （１５）または（１６）記載の医療器材の在庫管理プログラムであって、
前記リードタイム情報が、さらに前記供給業者毎の医療器材に対する価格情報を含み、
発注対象となる供給業者が複数存在した場合に、これら供給業者の中から前記不足医療器材が最も安価な供給業者に発注する処理をコンピュータに実行させる医療器材の在庫管理プログラム。
【００２９】
（１８）  （１３）〜（１７）のいずれか１項記載の医療器材の在庫管理プログラムであって、
前記医療器材それぞれの使用期限日を含む使用期限情報を記憶し、
前記所定日までに使用期限日を超過する医療器材が前記在庫量情報に含まれる場合に、この使用期限日を超過する医療器材に対しては前記在庫量情報から除外する処理をコンピュータに実行させる医療器材の在庫管理プログラム。
【００３０】
この医療器材の在庫管理プログラムによれば、将来使用する医療器材とその使用数量を的確に把握して、検査日までの将来に亘って、医療器材の適切な在庫量を管理することができる。
【発明の効果】
【００３１】
本発明によれば、医療検査の検査オーダーに基づいて定まる将来使用予定の医療器材とその使用数量を正確に把握することで、任意のタイミングでの不足する医療器材を明確にすることができる。これにより、これから実施予定の医療検査に対して、必要とされる医療器材を適切な在庫量に管理することができる。
【発明を実施するための最良の形態】
【００３２】
以下、医療器材の在庫管理システムについて、図面を参照して詳細に説明する。
図１は本発明に係る実施形態を説明するための医療器材の在庫管理システムのブロック構成図である。
医療器材の在庫管理システム１００は、入力のあった医療検査の検査オーダーに対して、医療検査で必要な医療器材を在庫状態と照合して不足品情報を出力するシステムである。この在庫管理システム１００は、入力部１１と、在庫量情報等の各種情報を記憶する情報記憶部１３と、不足品情報等を出力する出力部１５と、これら各部に接続され全体を制御する制御部１７と、を主要な構成要素として備えている。なお、ここでは内視鏡的検査を一例として説明するが、医療検査の種別はこれに限られることはない。
【００３３】
入力部１１は、被検者に実施する医療検査の検査種別および医療検査の実施予定日の情報を含む検査オーダー情報を入力する。
【００３４】
記憶部１３は、入力部１１からの入力情報、医療検査の検査種別毎にそれぞれ必要とされる医療器材の種類およびその使用数量の情報を含む必要検査器材情報、および複数種の医療器材それぞれの在庫量（在庫のある医療器材名およびその数量）を表す在庫量情報をそれぞれ記憶する。
【００３５】
ここで、医療器材の種類の情報とは、例えば上記内視鏡スコープや注射針、カテーテル、ステント等の使用器材と、例えばガスコンドロップ（商品名）、キシロカイロゼリー、生理食塩液等の使用薬剤の情報をいう。また、使用数量等の情報は、それら使用器材、使用薬剤それぞれの使用数量である。また、薬剤の情報は、市販の薬剤名（製品名）あるいは成分名である。ここでは、薬剤の情報として、通称である市販の薬剤名を用いることが好ましいが、この限りではない。
【００３６】
制御部１７は、検査オーダー情報からこれから実施予定の医療検査に必要な医療器材の種類および使用数量について必要検査器材情報を参照して求め、この求めた医療器材の種類および使用数量を前記在庫量情報に照合して、任意に設定される所定日において、不足品の発生が予測される不足医療器材の種類と数量を求める。これにより特定される情報はディスプレイ等の出力部１５に出力可能となっている。つまり、この在庫管理システム１００では、検査実施日までの将来にわたって、任意のタイミングにおける在庫状況、欠品状況を把握することができる。
【００３７】
例えば、入力部１１から検査オーダー情報が入力されると、制御部１７は、記憶部１３から検査オーダーに対応した医療器材の種類と使用数量、および医療器材種類ごとの在庫量を読み出して、任意に設定される所定日（例えば５日後の検査日）に使用する医療器材の種類と使用数量や不足する医療器材の種類と数量を求める。これら求めた結果は出力部１５のディスプレイに表示される。
【００３８】
図２に図１の医療器材在庫管理システムをＣＰＵを用いて実現した場合のハードウェア構成図を示した。
同図において、ＣＰＵ３１には、メモリ３３、出力手段であるディスプレイ３５、情報入力手段であるキーボード（他にもマウス、一次元・二次元コードリーダ、無線通信入力器等の入力器具を含む）３７、出力手段であるプリンタ３９、情報記憶手段であるハードディスク４１、ＣＤ−ＲＯＭドライブ等のメディアドライブ装置４５が接続されている。また、これら各要素はネットワークインターフェース４３を介してネットワークにされていてもよい。
【００３９】
ハードディスク４１には、オペレーティングシステム（ＯＳ）４７をはじめ、以下に説明する医療器材在庫管理方法をコンピュータに実行させる医療器材在庫管理プログラム４９、およびこれに用いられるデータベース５１が記憶されている。医療器材在庫管理プログラム４９、データベース５１の少なくとも一部は、例えばメディアドライブ装置４５により、記録媒体５３を介してインストールされる。勿論、ネットワークを介してインストールされていてもよい。
【００４０】
ディスプレイ３５には、キーボード３７からの入力情報や、メモリ３３、ハードディスク４１、メディアドライブ装置４５の記憶情報、さらにはネットワークからの各種入力情報等を表示可能となっている。
【００４１】
次に、本医療器材在庫管理システム１００による在庫管理手順を具体的な事例に基づいて説明する。
図３に医療器材在庫管理システムによる在庫管理手順のフローチャートを示した。
まず、入力部１１から被検者に実施する医療検査の検査オーダーを入力する。検査オーダー情報としては、例えば図４に示すように、オーダーされた検査番号（１,２，・・・）毎に、医療検査の実施予定日である検査日、被検者名、検査種別等の情報があり、これら情報を取得する（Ｓ１１）。検査種別としては、上部消化管内視鏡検査、下部消化管内視鏡検査等の各種医療検査がある。なお、これらの情報は、図２に示すキーボード３７。ネットワークインターフェース４３、メディアドライブ装置４５等の入力部１１から入力されて、ハードディスク４１のデータベース５１やメモリ３３等に記憶される。なお、入力操作に関しては、キーボード３７からの直接入力の他、ディスプレイ３５に入力候補を複数表示して、この表示された入力候補の中から所望のものを選択して入力する形態、具体的には、プルダウンメニューの中から所望のものを選択すること等、適宜の形態が利用できる。
【００４２】
次に、データベース５１（図２参照）に含まれる必要検査器材情報を参照して、検査オーダー情報の検査種別に対応した医療器材の種類と使用量をメモリ３３に読み出す（Ｓ１２）。
図５に、各検査種別に対して必要とされる医療器材の種類とその使用数量の情報を示した。必要検査器材情報は、医療検査の検査種別毎にそれぞれ必要とされる医療器材の種類およびその使用数量の情報を含んでいる。例えば、上部消化管内視鏡検査の場合は、薬剤Ａ，薬剤Ｂ、留置針等の医療器材等が使用される。したがって、図４に示す医療検査オーダー１、２に対して使用される医療器材は、図５に示されるものとなる。
【００４３】
そして、入力のあった医療検査オーダーに対して、図５に示される必要検査器材情報を参照して必要となる医療器材およびその使用量を検査日毎に加算して求める（Ｓ１３）。そして、全ての医療検査オーダーに対する上記加算処理を繰り返し行う（Ｓ１４）。即ち、各医療検査オーダーの検査日毎に医療器材の必要量がそれぞれ加算されて、いつ、どの医療器材がどれだけの量を必要とするかが掌握される。その掌握結果をメモリ３３（図２参照）に記憶する。
【００４４】
ここで、図６に在庫量情報と不足品情報とを纏めて表示したテーブルを示した。同図は、検査番号１、２が実施される検査日の情報を示している。このように医療検査オーダーに基づく、使用予定の医療器材およびその使用量が把握されると、次いで、データベース５１に予め保存された現在の在庫量情報をメモリ３３に読み出す（Ｓ１５）。そして、検査日毎に、使用する医療器材の量（在庫必要量）と在庫量とを比較し（Ｓ１６）、在庫必要量に不足する数量を求める（Ｓ１７）。例えば薬剤Ａに対しては、検査番号１、２の検査日において、医療検査オーダーにより使用される量（在庫必要量）が２８ｍｌとなるが、現在の在庫量が４２ｍｌであるため、１４ｍｌの不足量を生じることがわかる。ここで、「在庫量」とは、在庫管理システム１００のデータベース５１にアクセスしたときの在庫量を示し、「在庫必要量」とは、病院等の検査室等で保管すべき在庫量をいう。
【００４５】
このような検査日毎の使用予定の医療器材の種類、使用数量、不足数量等の情報をディスプレイ３５（図２参照）に表示する（Ｓ１８）。勿論、ディスプレイ３５に限らず、上記情報をプリンタ３９により印刷出力したり、記録媒体５３に記録したり、ネットワークに出力したりすることでもよい。
【００４６】
以上より、本医療器材の在庫管理システム１００によれば、医療検査の検査オーダーに応じて発生する将来使用される医療器材とその使用数量を正確に把握して、適切なタイミングで医療器材を発注することができるので、これから行われる医療検査に対して、検査日までの将来に亘って必要とされる医療器材を適切な在庫量に管理することができる。
【００４７】
次に、被検者の病歴に応じた禁忌組合せをより確実に避けるようにした他の構成例について説明する。
この医療器材の在庫管理システムにおいては、複数種の医療器材に対する病歴との禁忌組合せ、およびその禁忌組合せを回避する代替え組合せの情報を含む禁忌情報をデータベース５１（図２参照）が記憶し、被検者に病歴情報が存在する場合に、禁忌情報を参照して病歴情報に対する医療器材の禁忌組合せの有無を確認する。そして、禁忌組合せがあったときに、これを代替え組合せに変更して、不足医療器材の種類と数量を求める。
【００４８】
図７に検査オーダー情報と被検者情報とを示した。ここでは、前述の検査オーダー情報に加えて、被検者の病歴情報が被検者情報として入力されている。被検者情報は、検査オーダー情報と同様に入力部１１（図１参照）から入力されたり、予め用意されている被検者情報をネットワークや記録媒体５３を介して入力してもよい。図７の例では、検査番号１の被検査が糖尿病を患っているとの情報が付加されている。
【００４９】
本医療器材の在庫管理システムのデータベース５１には、各医療器材と、各医療器材毎に対して禁忌組合せとなる病歴情報とが禁忌情報として保存されており、また、禁忌組合せとなる場合に、この禁忌組合せを回避する同等な医療器材の組合せの情報として代替え組合せ情報が保存されている。この禁忌情報および代替え組合せ情報に基づいて、被検者の病歴に応じた適切な医療器材が選定される。
【００５０】
図８は、禁忌組合せを回避した代替え組合せとして必要検査器材を纏めた必要検査器材情報を示す図である。ここでは、検査番号１の上部消化管内視鏡検査で必要とされていた薬剤Ｃ（図５参照）が、糖尿病を患う被検者にとって禁忌組合せとなるので、この薬剤Ｃに対しては、薬剤Ｅに変更する。医療器材の在庫管理は、この変更された必要検査器材情報に基づいて行われる。
【００５１】
例えば、緑内障患者には、ブスコバン（日本ベーリンガーインゲルハイム製、主成分臭化ブチルスコポラミン）は、眼圧の上昇の虞から禁忌薬に指定されている。また、糖尿病患者にも同様に前記のブスコバンが禁忌薬として指定されている。そして、これらの代替え薬品として、例えばグルカゴンが指定されている。このように、ある特定の薬剤が病歴のある患者に対しては禁忌薬となるので、それぞれを代替えの薬剤に変更することの情報が、禁忌情報として検査種別毎、病歴毎に纏められている。
【００５２】
本構成によれば、必要検査器材を検査オーダー情報に基づいて一義的に決定ことなく、また、通常は人が判断して差し替えていたものを自動的に変更する構成としたため、人為的ミスの発生が防止され、検査の正確性をより一層向上することができる。
【００５３】
次に、不足品を発注する際に、リードタイムを満足する供給業者に発注する医療器材の在庫管理システムを説明する。
図９に図３に示す（ＩＩ）以降の手順のフローチャートを示した。
この場合の医療器材の在庫管理システムは、特定された不足医療器材を供給業者に発注する発注処理手段を備える。発注処理手段としては、例えば、発注内容を記した紙片をプリンタ３９（図２参照）に出力して供給業者に送付したり、発注内容をネットワーク（電話等の公衆回線を含む）を通じて供給業者に送信したり、記録媒体５３に記録して供給業者に送付する等の任意の手段であってよく、目的の供給業者へ不足した医療器材の発注が行えるものであればよい。なお、実際に発注処理を完了させる以外にも、発注処理を行う準備を行うものであってもよい。つまり、本明細書における発注処理とは、発注処理を行うまでの準備作業としてもよい。
【００５４】
まず、図３における在庫必要量に不足する数量を求めた後（Ｓ１７）、図９に示すように、リードタイム情報から不足する医療器材の情報を読み出す（Ｓ２１）。リードタイム情報は、図１０に示す特定の医療器材に対するリードタイム、および価格を複数の前記供給業者毎に表した情報である。図１０に示す薬剤Ａの例では、供給業者としてＡ社、Ｂ社、Ｃ社があり、それぞれのリードタイムや価格は供給業者毎に異なっている。
【００５５】
再び図９に戻り、リードタイムを満足する供給業者が複数存在するかを確認し（Ｓ２２）、複数存在する場合は、価格の最も低い供給業者を選定する（Ｓ２３）。複数存在しない場合はその該当業者を選定する（Ｓ２４）。
【００５６】
次に、供給業者が選定されると、検査日毎の使用器材種類、使用数量、不足数量、供給業者の各情報をディスプレイ３５（図２参照）に表示する（Ｓ２５）。
このように、リードタイムに応じて供給業者を選定して発注することにより、不足品が納品されるまで間、欠品を生じさせることなく、しかも最も安価で不足品を仕入れることが可能となる。
【００５７】
次に、不足品を発注する際に、発注最少単位を考慮して供給業者に発注する医療器材の在庫管理システムを説明する。
図１１に図３に示す（Ｉ）以降の手順のフローチャートを示した。
この場合の医療器材の在庫管理システムは、特定された所定日に必要となる不足医療器材を、供給業者毎の医療器材に対する発注の最小単位の情報を参照して最少の発注数量となる供給業者に発注する発注処理手段を備える。
【００５８】
まず、図３に示す検査日毎に、使用する医療器材の量と在庫量とを比較した後（Ｓ１６）、図１１に示すように発注単位情報と前述の不足品情報（図６参照）とを併せて、不足する医療器材の情報を読み出す（Ｓ３１）。発注単位情報は、図１２に示す特定の医療器材に対する発注最少単位、および価格を複数の前記供給業者毎に表した情報である。図１１に示す薬剤Ａの例では、供給業者としてＡ社、Ｂ社、Ｃ社があり、それぞれの発注最少単位や価格は供給業者毎に異なっている。
【００５９】
再び図１１に戻り、発注最少単位を満足する供給業者が複数存在するかを確認し（Ｓ３２）、複数存在する場合は、価格の最も低い供給業者を選定する（Ｓ３３）。複数存在しない場合はその該当業者を選定する（Ｓ３４）。
【００６０】
次に、供給業者が選定されると、検査日毎の使用器材種類、使用数量、不足数量、供給業者の各情報をディスプレイ３５（図２参照）に表示する（Ｓ３５）。
このように、最少発注単位に応じて供給業者を選定して発注することにより、無駄に多くの医療器材をストックさせることがなくなり、必要とする医療器材を必要とする最小限の数量だけ発注し、しかも安価に仕入れることが可能となる。
【００６１】
次に、不足品を発注する際に、検査予定日に使用期限を超過する医療器材がある場合に、その使用期限切れとなる医療器材の数量を不足品の数量に加える医療器材の在庫管理システムを説明する。
図１３に図３に示す（ＩＩ）以降の手順のフローチャートを示した。
この場合の医療器材の在庫管理システムは、在庫された医療器材の中に検査を実施する日に使用期限を超過するもの存在する場合に、その使用期限切れとなる医療器材については、在庫量情報から除外する機能を備える。
【００６２】
まず、図３における在庫必要量に不足する数量を求めた後（Ｓ１７）、図１３に示すように、検査予定日に使用期限を超過する医療器材があるかを判断し（Ｓ４１）、超過する医療器材がある場合は、該当する使用器材の量を不足数量に加える（Ｓ４２）。そして、検査日毎の使用器材の種類、使用数量、不足数量の情報をディスプレイ３５（図２参照）等に出力する。使用期限の情報は、図１４に示すように医療器材毎にそれぞれ設定されており、これらの情報がデータベース５１に保存されている。
【００６３】
このように、検査日までの間に医療器材の使用期限を超過する在庫品に対しては、これを在庫量とみなさないことで、実際の検査日における在庫量を正確に掌握することができる。そして、この使用期限を超過する医療器材の情報を考慮して不足品情報を求めることで、より確実な発注処理を行うことが可能となる。
【図面の簡単な説明】
【００６４】
【図１】本発明の実施形態を説明するための医療器材の在庫管理システムのブロック構成図である。
【図２】図１の医療器材在庫管理システムをＣＰＵを用いて実現した場合のハードウェア構成図である。
【図３】医療器材在庫管理システムによる在庫管理手順のフローチャートである。
【図４】検査オーダー情報の一例を示す図である。
【図５】各検査種別に対して必要とされる医療器材の種類とその使用数量の情報を示す図である。
【図６】在庫量情報と不足品情報とを纏めたテーブルを示す図である。
【図７】検査オーダー情報と被検者情報とを示す図である。
【図８】禁忌組合せを回避した代替え組合せとして必要検査器材を纏めた必要検査器材情報を示す図である。
【図９】図３に示す（ＩＩ）以降の手順のフローチャートである。
【図１０】リードタイム情報を示す図である。
【図１１】図３に示す（Ｉ）以降の手順のフローチャートである。
【図１２】発注単位情報を示す図である。
【図１３】図３に示す（ＩＩ）以降の手順のフローチャートである。
【図１４】使用期限情報を示す図である。
【符号の説明】
【００６５】
１１  入力部
１３  記憶部
１５  出力部
１７  制御部
３１  ＣＰＵ
３３  メモリ
３５  ディスプレイ
３７  キーボード
３９  プリンタ
４１  ハードディスク
４３  ネットワークインターフェース
４５  メディアドライブ装置
４７  オペレーティングシステム
４９  医療器材在庫管理プログラム
５１  データベース
５３  記録媒体
１００  医療器材の管理システム
【図１】
2010092345.tif 000003
【図２】
2010092345.tif 000004
【図３】
2010092345.tif 000005
【図４】
2010092345.tif 000006
【図５】
2010092345.tif 000007
【図６】
2010092345.tif 000008
【図７】
2010092345.tif 000009
【図８】
2010092345.tif 000010
【図９】
2010092345.tif 000011
【図１０】
2010092345.tif 000012
【図１１】
2010092345.tif 000013
【図１２】
2010092345.tif 000014
【図１３】
2010092345.tif 000015
【図１４】
2010092345.tif 000016